(57)【要約】【課題】  本発明によれば、リッドを基板に取り付けたときに、リッドが傾かないようにすることができる。【解決手段】電子装置２００は、基板２０２と、基板２０２に搭載された電子部品と、基板２０２と反対側の方向に突出し、電子部品を覆うカバー部１０２とカバー部１０２の外周に設けられ、基板２０２と接着されたツバ部１０４とを有するリッド１００とを含む。ここで、リッド１００のツバ部１０４には、ツバ部１０４の他の領域よりも基板２０２の方向に所定の高さ突出した出っ張り部１０６が設けられている。【選択図】図１
2010109140.tif 000002
【特許請求の範囲】
【請求項１】
基板と、
前記基板に搭載された電子部品と、
前記基板と反対側の方向に突出し、電子部品を覆うカバー部と前記カバー部の外周に設けられ、前記基板と接着されたツバ部とを有するリッドと、
を含み、
前記リッドの前記ツバ部には、当該ツバ部の他の領域よりも前記基板の方向に所定の高さ突出した出っ張り部が設けられた電子装置。
【請求項２】
請求項１に記載の電子装置において、
前記リッドの前記ツバ部の前記出っ張り部とは異なる前記他の領域と、前記基板との間に、前記リッドと前記基板とを接着する接着剤が設けられた電子装置。
【請求項３】
請求項１または２に記載の電子装置において、
前記リッドの前記ツバ部には、複数の前記出っ張り部が設けられた電子装置。
【請求項４】
請求項３に記載の電子装置において、
前記複数の出っ張り部は、各前記複数の出っ張り部を頂点とした重心が前記リッドの重心と一致するように配置された電子装置。
【請求項５】
請求項３または４に記載の電子装置において、
前記リッドは平面視で矩形形状を有し、
前記複数の出っ張り部は、それぞれ、前記ツバ部の角部に配置された電子装置。
【請求項６】
請求項５に記載の電子装置において、
少なくとも４つの前記出っ張り部を含み、
前記複数の出っ張り部は、前記ツバ部の四隅にそれぞれ配置された電子装置。
【請求項７】
請求項１から６いずれかに記載の電子装置において、
前記出っ張り部は、導電性接着剤を介して前記基板のグランド端子に接続された電子装置。
【請求項８】
請求項１から７いずれかに記載の電子装置において、
前記基板には、複数の電子部品が搭載されている電子装置。
【請求項９】
請求項８に記載の電子装置において、
前記複数の電子部品のうち、少なくとも１つの電子部品は他の電子部品よりも高さが高い電子装置。
【請求項１０】
請求項１から９いずれかに記載の電子装置において、
前記電子部品と前記リッドとの間に、これらに接して設けられた放熱ペーストをさらに含む電子装置。
【請求項１１】
電子部品が搭載された基板上に配置され、前記電子部品を覆うリッドであって、
前記基板上に配置されたときに、前記電子部品を覆うように第１の方向に突出して設けられたカバー部と、
前記カバー部の外周に設けられ、他の領域よりも前記第１の方向と反対側の第２の方向に所定の高さ突出して設けられた出っ張り部を含むツバ部と、
を含むリッド。
【請求項１２】
請求項１１に記載のリッドにおいて、
前記リッドの前記ツバ部には、複数の前記出っ張り部が設けられたリッド。
【請求項１３】
請求項１２に記載のリッドにおいて、
前記複数の出っ張り部は、各前記複数の出っ張り部を頂点とした重心が前記リッドの重心と一致するように配置されたリッド。
【請求項１４】
請求項１２または１３に記載のリッドにおいて、
前記リッドは平面視で矩形形状を有し、
前記複数の出っ張り部は、それぞれ、前記ツバ部の角部に配置されたリッド。
【請求項１５】
請求項１４に記載のリッドにおいて、
少なくとも４つの前記出っ張り部を含み、
前記複数の出っ張り部は、前記ツバ部の四隅にそれぞれ配置されたリッド。
【発明の詳細な説明】
【技術分野】
【０００１】
本発明は、電子装置およびリッドに関する。
【背景技術】
【０００２】
半導体チップ等の電子部品を基板上に搭載して、基板上に電子部品を覆うリッドを配置して封止する技術が知られている。
特許文献１（特開２００７−４２７１９号公報）には、半導体素子が搭載された半導体パッケージ基板と、中央部に半導体素子を収めかつ半導体素子と接着された接着面を持つ凹部と凹部の外周部に半導体パッケージ基板と接着された接着面を持つツバ部とを有するリッドとを備え、半導体素子を半導体パッケージ基板とリッドとで覆う半導体装置が記載されている。ここで、ツバ部の接着面から凹部の接着面までの深さｄ１（μｍ）と、ツバ部が接着された半導体パッケージ基板の接着面から凹部と接着された半導体素子の接着面までの高さに半導体素子と凹部の間に充填された接着剤の厚さを加えた長さｄ２（μｍ）との関係が、２５μｍ≦ｄ２−ｄ１≦３００μｍとされている。これにより、リッドを半導体素子を搭載した半導体パッケージ基板に接着する場合に、リッドの凹部と半導体素子とが接着剤に密着するようにでき、半導体素子とリッドを確実に接着することができる、とされている。
【０００３】
特許文献２（特開２０００−２００８７０号公報）には、半導体チップが実装された基板上に、半導体チップが実装された空間を取り囲むように補強板が導電性接着樹脂により取り付けられ、半導体チップには導電性接着樹脂を介して導電性の蓋部材が固着され、補強板の上面も導電性接着樹脂により蓋部材と接着された構成が記載されている。ここで、補強板は、基板の配線パターンのグランド電極に接続され、シールドされる構成となっている。
【特許文献１】特開２００７−４２７１９号公報
【特許文献２】特開２０００−２００８７０号公報
【発明の開示】
【発明が解決しようとする課題】
【０００４】
しかし、従来、リッドを基板に取り付けるときに、リッドが傾くという問題があった。図５は、高さが異なる複数の電子部品が基板上に搭載された電子装置の構成を示す断面図である。電子装置１０は、基板２と、基板２に搭載された電子部品６０および電子部品６２と、リッド５０とを含む。リッド５０は、基板２と反対側の方向に突出し、電子部品６０および電子部品６２を覆うカバー部５２とカバー部５２の外周に設けられ、基板２と接着されたツバ部５４とを有する。
【０００５】
基板２の電子部品６０や電子部品６２が搭載された面と反対側の面には、半田ボール４が設けられている。また、電子部品６０は、半田ボール６４を介して基板２と電気的に接続されている。また、電子部品６２は、フリップチップ実装にて基板２に電気的に接続されるとともにアンダーフィル６６により基板２に接着されている。
【０００６】
このような構成の電子装置１０において、基板２上面のリッド５０のツバ部５４と対向する箇所に接着剤８を塗布する。また、電子部品６０および電子部品６２の上面には、放熱ペースト１２を塗布する。ここで、リッド５０の強度を保つため、および電子部品の放熱を良好にするために、リッド５０を基板２に取り付けたときに、放熱ペースト１２が電子部品およびリッド５０と接するようにする。そのため、電子部品上には充分な厚さの放熱ペースト１２を塗布する。この状態で、リッド５０を基板２に取り付ける。これにより、リッド５０が接着剤８を介して基板２に接着される。また、電子部品６０および電子部品６２とリッド５０との間に放熱ペースト１２が配置される。これにより、電子部品６０や電子部品６２で発生した熱をリッド５０を介して放出することができる。
【０００７】
しかし、リッド５０は、放熱ペースト１２と接するように基板２上に取り付けるので、リッド５０を取り付ける際に、電子部品上の放熱ペースト１２の上面高さのばらつきの影響を受け、リッド５０が傾いてしまうという問題があった。とくに、基板２上に高さの異なる複数の電子部品が搭載されている場合や、電子部品が基板２上の中心部に配置されていない場合、リッド５０が基板２に対して傾きやすい。従来、傾いた状態のまま、リッド５０が接着剤８を介して基板２に接着されていた。しかし、リッド５０が傾き、たとえばリッド５０と基板２との間の間隔が広くなると、基板２とリッド５０との間に充分に接着剤８が行き渡らず、接着不良が生じてしまう。また、リッド５０が傾いてしまうと、放熱ペースト１２とリッド５０との密着が不充分となり、放熱特性が劣化するという問題が生じることもある。また、リッド５０が傾いていると、製品規格で規定された平坦度を満たせないという問題もある。
【課題を解決するための手段】
【０００８】
本発明によれば、
基板と、
前記基板に搭載された電子部品と、
前記基板と反対側の方向に突出し、電子部品を覆うカバー部と前記カバー部の外周に設けられ、前記基板と接着されたツバ部とを有するリッドと、
を含み、
前記リッドの前記ツバ部には、当該ツバ部の他の領域よりも前記基板の方向に所定の高さ突出した出っ張り部が設けられた電子装置が提供される。
【０００９】
本発明によれば、
電子部品が搭載された基板上に配置され、前記電子部品を覆うリッドであって、
前記基板上に配置されたときに、前記電子部品を覆うように第１の方向に突出して設けられたカバー部と、
前記カバー部の外周に設けられ、他の領域よりも前記第１の方向と反対側の第２の方向に所定の高さ突出して設けられた出っ張り部を含むツバ部と、
を含むリッドが提供される。
【００１０】
このように、リッドのツバ部の一部に出っ張り部を設けることにより、リッドを基板に取り付ける際に、リッドの出っ張り部を支点として、リッドを基板に対して押圧等することにより、リッドが基板に対して傾かないようにリッドを接着することができる。また、基板とリッドの出っ張り部以外のツバ部の他の領域との間隔を一定にすることができる。これにより、基板とリッドの出っ張り部以外のツバ部の他の領域との間に接着剤を均等に行き渡らせることができ、リッドの接続信頼性が確保できる。また、電子部品上面とリッドのカバー部との間の距離は、各電子部品の高さにより異なるが、上記構成により、電子部品上面とリッドのカバー部の平面とが平行になる確度を高くすることができる。そのため、高さの異なる電子部品を基板上に搭載する場合でも、各電子部品上面とリッドのカバー部の平面との間の距離を正確に予測しやすい。これにより、放熱ペーストの上面高さのばらつきが少なくなるように放熱ペーストの膜厚を制御しやすくなり、放熱ペーストとリッドとが充分接触するようにすることができる。そのため、放熱特性を良好にすることができる。
【００１１】
なお、以上の構成要素の任意の組合せ、本発明の表現を方法、装置などの間で変換したものもまた、本発明の態様として有効である。
【発明の効果】
【００１２】
本発明によれば、リッドを基板に取り付けたときに、リッドが傾かないようにすることができる。
【発明を実施するための最良の形態】
【００１３】
以下、本発明の実施の形態について、図面を用いて説明する。尚、すべての図面において、同様な構成要素には同様の符号を付し、適宜説明を省略する。
【００１４】
（第１の実施の形態）
図１は、本実施の形態におけるリッド１００の構成を示す斜視図である。図１（ｂ）は、リッド１００が基板２０２に取り付けられた電子装置２００の構成を示す。図２は、電子装置２００の構成を示す断面図である。図２（ａ）は、図１（ｂ）のＡ−Ａ’断面図である。図２（ｂ）は、図１（ｂ）のＢ−Ｂ’断面図である。
【００１５】
図１（ａ）に示すように、リッド１００は電子装置の基板上に配置されたときに、電子部品を覆うように第１の方向（図中上方向）に突出して設けられたカバー部１０２と、カバー部１０２の外周に設けられたツバ部１０４とを含む。ツバ部１０４は、他の領域よりも第１の方向と反対側の第２の方向（図中下方向）に所定の高さ突出して設けられた出っ張り部１０６を含む。本実施の形態において、リッド１００は、ツバ部１０４の出っ張り部１０６以外の他の領域（以下、接着領域１０４ａともいう。）において、接着剤を介して基板に接着される。ツバ部１０４の出っ張り部１０６および接着領域１０４ａは、それぞれ、平坦な平面を有する。
【００１６】
カバー部１０２は、リッド１００が電子装置の基板上に配置されたときに、電子部品上に位置する平坦な平面（図２の１０２ａ）と、当該平面とツバ部１０４とを接続する傾斜側面（図２の１０２ｂ）とを含む。リッド１００は、スティフナー（補強板）およびヒートスプレッダ（放熱部材）として機能する。リッド１００は、たとえば銅、アルミニウム、ステンレスおよびそれぞれの合金等の金属材料により構成することができる。
【００１７】
図１（ｂ）および図２に示すように、電子装置２００は、基板２０２と、基板２０２に搭載された第１の電子部品２５０および第２の電子部品２６０と、リッド１００とを含む。リッド１００は、基板２０２と反対側の方向に突出し、第１の電子部品２５０および第２の電子部品２６０を覆うカバー部１０２とカバー部１０２の外周に設けられ、基板２０２と接着されたツバ部１０４とを有する。また、リッド１００のツバ部１０４には、ツバ部１０４の接着領域１０４ａよりも基板２０２の方向に所定の高さ突出した出っ張り部１０６が設けられている。
【００１８】
本実施の形態において、第１の電子部品２５０と第２の電子部品２６０とは、高さが異なるものとすることができる。ここでは、第１の電子部品２５０の方が第２の電子部品２６０よりも高さが高い。第１の電子部品２５０および第２の電子部品２６０は、たとえば、半導体チップ、受動素子、レギュレータ、ＤＲＡＭパッケージ等とすることができる。本実施の形態において、電子装置２００は、たとえばＡＳＩＣ（シリコン半導体）とＤＲＡＭ（パッケージ）等の高さの異なる複数の電子部品を組み合わせたＳＩＰ（System in Package）構造とすることができる。なお、とくに限定されないが、各電子部品の上面とリッド１００のカバー部１０２の下面との間の距離は、１００μｍ以下程度とすることが好ましい。これにより、放熱性を良好にすることができる。
【００１９】
基板２０２は、配線層を含む配線基板やマザーボードとすることができる。本実施の形態において、基板２０２は、複数の配線層が接続された多層配線基板とすることができる。基板２０２の第１の電子部品２５０や第２の電子部品２６０が搭載された面と反対側の面には、半田ボール２０４が設けられている。また、本実施の形態において、第１の電子部品２５０は、半田ボール２５２を介して基板２０２と電気的に接続されている。また、第２の電子部品２６０は、フリップチップ実装にて基板２０２に電気的に接続されるとともにアンダーフィル２６２により基板２０２に接着されている。なお、第１の電子部品２５０や第２の電子部品２６０は、ボンディングワイヤを介して基板２０２と電気的に接続される構成とすることもできる。
【００２０】
本実施の形態において、リッド１００のツバ部１０４の接着領域１０４ａと、基板２０２との間に、基板２０２とリッド１００とを接着する接着剤２０８が設けられる。また、第１の電子部品２５０および第２の電子部品２６０とリッド１００のカバー部１０２の下面との間には、電子部品から放熱を行うための放熱ペースト２１０が配置されている。放熱ペースト２１０は、第１の電子部品２５０および第２の電子部品２６０、ならびにリッド１００のカバー部１０２に接するように設けられる。
【００２１】
本実施の形態において、リッド１００のツバ部１０４には、複数の出っ張り部１０６が設けられた構成とすることができる。ここで、複数の出っ張り部１０６は、ツバ部１０４にできるだけ均等に配置することが好ましい。また、複数の出っ張り部１０６は、各複数の出っ張り部１０６を頂点とした重心がリッド１００の重心と一致または近傍に位置するように配置することが好ましい。また、複数の出っ張り部１０６は、リッド１００の中心に対して点対称、またはリッド１００の中心を通る直線に対して線対称となるように設けることができる。たとえば、本実施の形態において、出っ張り部１０６を２つ設ける場合、それらをリッド１００のカバー部１０２の中心部を通る直線上で対向するように配置することができる。このように出っ張り部１０６を均等に配置することにより、リッド１００を基板２０２に取り付ける際に、出っ張り部１０６が支点となり、リッド１００の平坦度をより良好に保つことができる。また、より安定にするために、出っ張り部１０６を３つ以上設けることができる。たとえば、出っ張り部１０６を３つ設ける場合、各出っ張り部１０６を頂点とした三角形の重心がリッド１００の重心と一致または近傍に位置するように配置することができる。
【００２２】
本実施の形態において、リッド１００は平面視で矩形形状を有する構成とすることができる。ここで、「矩形形状」は、角部が丸く縁取りされた形状も含む。本実施の形態において、リッド１００は、角部が丸く縁取りされた矩形形状とすることができる。このような構成において、複数の出っ張り部１０６は、それぞれ、ツバ部１０４の角部に設けられた構成とすることができる。なお、図１および図２に示した例では、リッド１００は４つの出っ張り部１０６を含み、これらがツバ部１０４の四隅にそれぞれ設けられている。
【００２３】
リッド１００のツバ部１０４の出っ張り部１０６は、折り曲げ、鍛造、絞り、プレス加工で１／２打ち抜く（半打ち）等の加工により形成することができる。たとえば絞り加工を行う場合、ツバ部１０４の出っ張り部１０６を設ける箇所を選択的に押して所定の高さだけ突出させることにより、出っ張り部１０６を形成することができる。
【００２４】
図３は、リッド１００のツバ部１０４の出っ張り部１０６が接着領域１０４ａから所定高さＤ突出した状態を示す部分断面図である。本実施の形態において、基板２０２とリッド１００のツバ部１０４との隙間は、出っ張り部１０６が接着領域１０４ａから突出した所定高さＤにより規定される。ここで、出っ張り部１０６が接着領域１０４ａから突出した所定高さＤが大きすぎると、接着領域１０４ａと基板２０２との間に接着剤２０８が充分行き渡らないおそれがある。そのため、所定高さＤは、接着領域１０４ａと基板２０２との間に接着剤２０８が充分行き渡る程度に小さくすることができる。一方、出っ張り部１０６が接着領域１０４ａから突出した所定高さＤが小さすぎると、出っ張り部１０６が支えとして機能し得ず、リッド１００の平坦度が接着剤２０８の厚さの影響を受けるおそれがある。そのため、所定高さＤは、リッド１００の平坦度が接着剤２０８の厚さの影響を受けない程度に大きくすることができる。
【００２５】
出っ張り部１０６が接着領域１０４ａから突出した所定高さＤは、たとえば３００μｍ以下とすることができる。これにより接着領域１０４ａと基板２０２との間に、充分に接着剤２０８を行き渡らせて、リッド１００と基板２０２との接着を良好にすることができる。また、出っ張り部１０６が接着領域１０４ａから突出した所定高さＤは、たとえば２５μｍ以上とすることができる。これにより、リッド１００を基板２０２上に取り付けたときに、リッド１００が接着剤２０８の影響により傾くのを防ぐことができる。
【００２６】
次に、電子装置２００の製造手順を説明する。図４は、電子装置２００の製造手順を示す斜視図である。
図４（ａ）では、基板２０２上に第１の電子部品２５０および第２の電子部品２６０が搭載された構成を示す。本実施の形態において、基板２０２は、後にリッド１００が基板２０２上に配置されたときに出っ張り部１０６に対応する箇所に、グランド端子２１２が設けられた構成とすることができる。ここでは、基板２０２上の四隅にグランド端子２１２が設けられている。なお、ここでは、後にリッド１００が基板２０２上に配置されたときに出っ張り部１０６に対応する箇所全て（四隅全部）に、グランド端子２１２が設けられた構成を示しているが、グランド端子２１２は、これらの一部のみに設けられた構成としてもよい。
【００２７】
図４（ａ）に示した構成の基板２０２上に、リッド１００と接続するための接着剤等の種々の接続材料を塗布する（図４（ｂ））。基板２０２上のグランド端子２１２上には、導電性樹脂２１４を塗布する。導電性樹脂２１４は、たとえば銀ペーストとすることができる。
【００２８】
また、第１の電子部品２５０および第２の電子部品２６０上には放熱ペースト２１０を塗布する。放熱ペースト２１０は、たとえば銀ペーストの様に金属フィラーを練りこんだ樹脂や、熱伝導性の高い樹脂（シリコーン樹脂等）とすることができる。また、基板２０２上の、後にリッド１００が基板２０２上に配置されたときに接着領域１０４ａと対向する箇所に、接着剤２０８を塗布する。接着剤２０８は、たとえばエポキシ系樹脂とすることができる。また、ここでは図示していないが、第１の電子部品２５０および第２の電子部品２６０は、モールド樹脂でモールドした構成とすることもできる。この場合も、モールド樹脂の上に銀ペースト等の放熱ペースト２１０を塗布することができる。
【００２９】
このように種々の接続材料を塗布した状態で、リッド１００を基板２０２上に取り付ける。このとき、リッド１００のツバ部１０４の複数の出っ張り部１０６に均等な力を印加することができる。これにより、リッド１００が傾くことなく、基板２０２に取り付けられる。このとき、第１の電子部品２５０および第２の電子部品２６０とリッド１００のカバー部１０２との間にはこれらに接して放熱ペースト２１０が設けられる。また、基板２０２のグランド端子２１２とリッド１００のツバ部１０４の出っ張り部１０６とは、導電性樹脂２１４を介して電気的に接続される。さらに、リッド１００は、ツバ部１０４の接着領域１０４ａで、接着剤２０８を介して基板２０２と接着される。以上により、図１（ｂ）に示した構成の電子装置２００が得られる。
【００３０】
本実施の形態において、リッド１００のツバ部１０４に出っ張り部１０６を設けることにより、リッド１００を基板２０２に取り付ける際に、リッド１００の出っ張り部１０６を支点として、リッド１００を基板２０２に対して押圧等することにより、リッド１００が基板２０２に対して傾かないようにリッド１００を接着することができる。また、基板２０２とリッド１００の出っ張り部１０６以外のツバ部の他の領域（接着領域１０４ａ）との間隔を一定にすることができる。これにより、基板２０２とリッド１００の接着領域１０４ａとの間に接着剤２０８を均等に行き渡らせることができ、リッド１００の接続信頼性が確保できる。また、電子部品上面とリッド１００のカバー部１０２の平面１０２ａとの間の距離は、各電子部品の高さにより異なるが、上記構成により、電子部品上面とリッド１００のカバー部１０２の平面１０２ａとが平行になる確度を高くすることができる。そのため、高さの異なる電子部品を基板２０２上に搭載する場合でも、各電子部品上面とリッド１００のカバー部１０２の平面１０２ａとの間の距離を正確に予測しやすい。これにより、放熱ペースト２１０の上面高さのばらつきが少なくなるように放熱ペースト２１０の膜厚を制御することができ、放熱ペースト２１０とリッド１００とが充分接触するようにすることができる。そのため、放熱特性を良好にすることができる。
【００３１】
このように基板２０２上にリッド１００を傾きなく取り付けることにより、製品規格で規定された平坦度を満たせるようになる。また、リッド１００上面を平坦にすることにより、リッド１００上にさらに熱伝導樹脂を介してヒートシンクを付けて冷却する場合等に、ヒートシンクが傾くことなく実装できる。また、リッド１００上面とヒートシンクとの間の熱伝導樹脂を均一の厚さで塗布できるので、放熱効果も上がる。
【００３２】
また、本実施の形態において、リッド１００が導電性樹脂２１４およびグランド端子２１２を介して接地されるので、リッド１００で覆われた第１の電子部品２５０および第２の電子部品２６０をシールドすることができる。
【００３３】
（第２の実施の形態）
図６は、本実施の形態における電子装置４００の製造手順を示す斜視図である。
本実施の形態において、電子装置４００は、基板２０２と、基板２０２に搭載された電子部品（第１の電子部品２５０、第２の電子部品２６０）と、リッド３００とを含む。リッド３００は、基板２０２と反対側の方向に突出し、電子部品を覆うカバー部３０２とカバー部３０２の外周に設けられたツバ部３０４とを有する。ここで、リッド３００のカバー部３０２は、導電性樹脂２１４を介して基板２０２のグランド端子２１２に接続される。
【００３４】
次に、電子装置４００の製造手順を説明する。
図６（ａ）では、基板２０２上に第１の電子部品２５０および第２の電子部品２６０が搭載された構成を示す。本実施の形態において、基板２０２は、四隅にそれぞれグランド端子２１２が設けられている。なお、ここでは、四隅全部に、グランド端子２１２が設けられた構成を示しているが、グランド端子２１２は、これらの一部のみに設けられた構成としてもよい。
【００３５】
図６（ａ）に示した構成の基板２０２上に、リッド３００と接続するための接着剤等の種々の接続材料を塗布する（図６（ｂ））。基板２０２上のグランド端子２１２上には、導電性樹脂２１４を塗布する。導電性樹脂２１４は、たとえば銀ペーストとすることができる。
【００３６】
また、第１の電子部品２５０および第１の電子部品２５０上には放熱ペースト２１０を塗布する。放熱ペースト２１０は、たとえば銀ペーストの様に金属フィラーを練りこんだ樹脂や、熱伝導性の高い樹脂（シリコーン樹脂等）とすることができる。また、基板２０２上の、後にリッド３００が基板２０２上に配置されたときにツバ部３０４の角部以外の箇所と対向する箇所に、接着剤２０８を塗布する。接着剤２０８は、たとえばエポキシ系樹脂とすることができる。
【００３７】
このように種々の接続材料を塗布した状態で、リッド３００を基板２０２上に取り付ける。このとき、第１の電子部品２５０および第２の電子部品２６０とリッド３００のカバー部３０２との間にはこれらに接して放熱ペースト２１０が設けられる。また、基板２０２のグランド端子２１２とリッド３００のツバ部３０４の角部とは、導電性樹脂２１４を介して電気的に接続される。さらに、リッド３００は、ツバ部３０４の角部以外の箇所で接着剤２０８を介して基板２０２と接着される。以上により、図６（ｃ）に示した構成の電子装置４００が得られる。
【００３８】
本実施の形態において、リッド３００が導電性樹脂２１４およびグランド端子２１２を介して接地されるので、リッド３００で覆われた第１の電子部品２５０および第２の電子部品２６０をシールドすることができる。
【００３９】
以上、図面を参照して本発明の実施形態について述べたが、これらは本発明の例示であり、上記以外の様々な構成を採用することもできる。
【図面の簡単な説明】
【００４０】
【図１】本発明の実施の形態におけるリッドの構成を示す斜視図である。
【図２】本発明の実施の形態における電子装置の構成を示す断面図である。
【図３】本発明の実施の形態において、リッドのツバ部の出っ張り部が接着領域から所定高さＤ突出した状態を示す部分断面図である。
【図４】本発明の実施の形態における電子装置の製造手順を示す斜視図である。
【図５】従来の問題点を説明するための図である。
【図６】本発明の第２の実施の形態における電子装置の製造手順を示す斜視図である。
【符号の説明】
【００４１】
１００ リッド
１０２ カバー部
１０２ａ 平面
１０２ｂ 傾斜側面
１０４ ツバ部
１０４ａ 接着領域
１０６ 出っ張り部
２００ 電子装置
２０２ 基板
２０４ 半田ボール
２０８ 接着剤
２１０ 放熱ペースト
２１２ グランド端子
２１４ 導電性樹脂
２５０ 第１の電子部品
２５２ 半田ボール
２６０ 第２の電子部品
２６２ アンダーフィル
３００ リッド
３０２ カバー部
３０４ ツバ部
４００ 電子装置
【図１】
2010109140.tif 000003
【図２】
2010109140.tif 000004
【図３】
2010109140.tif 000005
【図４】
2010109140.tif 000006
【図５】
2010109140.tif 000007
【図６】
2010109140.tif 000008